(57)【要約】【課題】ＢＣＡ領域の上書きによって生ずる使用不可能なＰＥＰ領域を少なくし、より多くの制御情報を記録することができる情報記録媒体を提供する。【解決手段】光ディスク１０は、再生すべき再生データを記録する再生データ領域１４と、一方の面の最内周にＰＥＰ（Ｐｈａｓｅ　Ｅｎｃｏｄｉｎｇ　Ｐａｒｔ）領域１２と、ＢＣＡ（Ｂｕｒｓｔ　Ｃｕｔｔｉｎｇ　Ａｒｅａ）領域１３とからなる円環状の制御情報領域１１を有する。制御情報領域１１は、ＡからＤまでの４つのＰＥＰセグメントのそれぞれが３つのＥＣＣブロックに分割される。このように、１つのＰＥＰセグメントを複数のＥＣＣブロックに分割して記録することにより、読み取り不可能となるＰＥＰ領域を少なくして、ＢＣＡ領域を大きく確保することができ、ＢＣＡ領域により多くの制御情報を記録することができる。【選択図】　図８
2004103078.tif 000002
【特許請求の範囲】
【請求項１】
再生すべき再生データを記録する再生データ領域と、少なくとも前記再生データを再生する際に必要な再生制御情報を含む制御情報がトラック１回転分を一単位として複数トラックに同一にＣＡＶ（Ｃｏｎｓｔａｎｔ　Ａｎｇｕｌａｒ　Ｖｅｌｏｃｉｔｙ）記録されている制御情報領域と、を有し、かつ、当該制御情報はＰＥＰ（Ｐｈａｓｅ　Ｅｎｃｏｄｅｄ　Ｐａｒｔ）信号で記録されている情報記録媒体であって、
前記ＰＥＰ信号で記録したデータ領域のデータが複数のエラー訂正単位に分割され、かつ、当該エラー訂正単位毎にエラー訂正コードが当該データ領域に記録されていることを特徴とする情報記録媒体。
【請求項２】
前記制御情報領域の制御情報としてＢＣＡ（Ｂｕｒｓｔ　Ｃｕｔｔｉｎｇ　Ａｒｅａ）信号が更に記録されていることを特徴とする請求項１に記載の情報記録媒体。
【請求項３】
前記トラック１回転分における前記ＰＥＰ信号の数をｍ個、前記ＰＥＰ信号のデータ領域におけるエラー訂正単位の数をｋ個、前記ＢＣＡ信号が記録される長さが前記トラック１回転分の１／ｎ（ｎは実数）とすると、
１−１／ｎ≧（ｋ＋１）／（ｍ×ｋ）
を満たすことを特徴とする請求項２に記載の情報記録媒体。
【発明の詳細な説明】
【０００１】
【発明が属する技術分野】
本発明は、光ディスク等の情報記録媒体に関する。
【０００２】
【従来の技術】
ＤＶＤ−ＲＯＭ等の情報記録媒体（光ディスク）には、その最内周にトラッキングサーボ制御を行うことなく情報を読み取ることができる領域を形成しているものがある。その領域の１つとしてＰＥＰ（Ｐｈａｓｅ　Ｅｎｃｏｄｉｎｇ　Ｐａｒｔ）領域がある。ＰＥＰ領域は光ディスクのマスタディスク製造時にプリピット列として作成され、ＰＥＰ領域には光ディスクの種類やトラッキング方法等の識別情報が記録されている。
【０００３】
最内周の領域としてはＰＥＰ領域の他にＢＣＡ（Ｂｕｒｓｔ　Ｃｕｔｔｉｎｇ　Ａｒｅａ）領域が公知である（例えば、特許文献１参照）。ＢＣＡ領域は光ディスクの製造の段階でディスク毎にバーコード状に形成され、例えば、ＤＶＤ−ＲＯＭの場合にはＹＡＧレーザで反射膜を除去して形成される。ＢＣＡ領域にはシリアル番号等の光ディスク個々の識別情報が記録される。
【０００４】
【特許文献１】
特開２００１−２２９５４２号公報
【０００５】
【発明が解決しようとする課題】
光ディスクにＰＥＰ領域及びＢＣＡ領域を各々形成する場合、映像や音声等の主情報が記録されるべきデータ領域をなるべく大きく確保するために、ＰＥＰ領域と同じトラック上にＢＣＡ領域を上書きで形成する手法が提案されている。
【０００６】
例えば、図１は従来の光ディスクを示した模式図であるが、光ディスク２０は、その一方の面の最内周に識別情報などの制御情報を記録する制御情報領域２１を有し、一例として、半周分がＰＥＰ領域２２、残り半周分がＢＣＡ領域２３で構成されている。形成手順としては、はじめにＰＥＰ領域として、同一の制御情報単位（ＰＥＰセグメント）をトラック１周分に渡って複数個形成し（多重書き）、そのＰＥＰ領域上の任意の位置にＢＣＡ領域を上書きで形成する。
【０００７】
ところで、ＰＥＰ領域にはセグメント毎に１つのエラー訂正コード（ＥＣＣ）ブロックが設けられている。図２は、制御情報領域２１の１周分に４つのＰＥＰセグメントを形成した場合についてのデータ構成を示した模式図である。図２（ｂ）及び図２（ｃ）に示すように、各セグメントには１つのエラー訂正コードブロックが設けられている。
【０００８】
ＰＥＰ領域上にＢＣＡ領域の上書きを行うと、上書きされて読み取り不能となったＰＥＰ領域のエリアではエラーが生ずる。そのエラー部分の大きさがエラー訂正能力を超えると、そのＥＣＣブロックが読み取り不能となり、ブロック全体が破綻してしまう。
【０００９】
即ち、セグメントの一部または全体がＢＣＡ領域で上書きされたＰＥＰセグメントは読み取りができなくなるので、ＢＣＡ領域の形成にあたっては、少なくとも１つのＰＥＰセグメントが完全に確保されるように記録を行う必要がある。
【００１０】
図３は、制御情報領域２１に形成したＰＥＰ領域とＢＣＡ領域の関係を示す模式図である。
例えば、図３（ａ）のようにトラック１周に４つのＰＥＰセグメントを記録した場合、上書きするＢＣＡ領域は１周の１／２（半分）以下でなければならない。ＢＣＡ領域が１周の１／２を超えると、場合によっては図３（ｂ）のようにすべてのＰＥＰセグメントにＢＣＡ領域が懸かり、完全なＰＥＰセグメントが確保できなくなるからである。このように、ＰＥＰ領域のセグメント数が少ない（多重化数が低い）と、ＢＣＡ領域を大きくできない、即ちＢＣＡ領域に記録できる情報量が少ないという問題があった。
【００１１】
一方、１つのＰＥＰセグメントを小さくして多重書きの回数を多くするようにすると、ＢＣＡ領域を大きくすることができるが、ＰＥＰセグメントのＰＥＰビットを小さくしなければならないため、ＢＣＡ記録に起因する読み取りエラー以外の読み取りエラー発生確率が増加するという問題があった。
【００１２】
このように、ＰＥＰセグメントを大きくして多重化数を少なくするとＢＣＡ領域に記録できる情報量が少なくなり、逆に、ＰＥＰセグメントを小さくして多重化数を多くするとＢＣＡ領域に記録できる情報量は多くなるが、ＰＥＰ領域の読み取りエラー発生確率が高くなるという、相反する課題があった。
【００１３】
本発明は前述した課題に鑑みてなされたものであり、その目的は、ＢＣＡ領域の上書きによって生ずる使用不可能なＰＥＰ領域を少なくし、より多くの制御情報を記録することができる情報記録媒体を提供することにある。
【００１４】
【課題を解決するための手段】
前述した目的を達成するため、請求項１に記載の情報記録媒体は、再生すべき再生データを記録する再生データ領域と、少なくとも前記再生データを再生する際に必要な再生制御情報を含む制御情報がトラック１回転分を一単位として複数トラックに同一にＣＡＶ（Ｃｏｎｓｔａｎｔ　Ａｎｇｕｌａｒ　Ｖｅｌｏｃｉｔｙ）記録されている制御情報領域と、を有し、かつ、当該制御情報はＰＥＰ（Ｐｈａｓｅ　Ｅｎｃｏｄｅｄ　Ｐａｒｔ）信号で記録されている情報記録媒体であって、前記ＰＥＰ信号で記録したデータ領域のデータが複数のエラー訂正単位に分割され、かつ、当該エラー訂正単位毎にエラー訂正コードが当該データ領域に記録されていることを特徴とする。
【００１５】
【発明の実施の形態】
以下、本発明に係る実施の形態を図面に基づいて説明する。
図４は、本発明の実施の形態に係る情報記録媒体である光ディスク１０を示す模式図である。
光ディスク１０は、例えば、ＤＶＤ−ＲＯＭ等であり、再生すべき再生データを記録する再生データ領域１４と、一方の面の最内周にＰＥＰ（Ｐｈａｓｅ　ＥｎｃｏｄｉｎｇＰａｒｔ）領域１２と、ＢＣＡ（Ｂｕｒｓｔ　Ｃｕｔｔｉｎｇ　Ａｒｅａ）領域１３とからなる円環状の制御情報領域１１を有する。
【００１６】
円環状の制御情報領域１１におけるディスク半径方向の幅は、トラッキングサーボ制御をオフとして、その部分の読み取りを行うために光ディスク１０の回転時の偏心量を考慮して設定されている。
【００１７】
ＰＥＰ領域１２は、図５に示すように、複数のトラックが形成され、各トラックにおいて、ピット列とミラー部とからなる１ビットのデータ（ＤＡＴＡ０，ＤＡＴＡ１，・・・・）を成している。また、図５の各トラックにおいては、同一のディスク半径方向（トラックを横切る方向）に同一のデータピットが配置されている。
【００１８】
上記のＰＥＰ領域１２は、情報記録信号にＰＥ（Ｐｈａｓｅ　Ｅｎｃｏｄｅｄ）変調を行って生成したＰＥＰ（Ｐｈａｓｅ　Ｅｎｃｏｄｅｄ　Ｐａｒｔ）信号を、トラック１回転分を一単位として複数のトラックに同一にＣＡＶ（Ｃｏｎｓｔａｎｔ　Ａｎｇｕｌａｒ　Ｖｅｌｏｃｉｔｙ）記録（角速度一定で記録）されたものである。
【００１９】
本実施の形態では、光ディスク１０の制御情報領域１１の１周分を、４つのＰＥＰセグメントで構成し（４重書き）、１つのＰＥＰセグメントを、さらに３つのＥＣＣブロックに分割する場合について説明する。なお、各セグメントには同じデータが記録される。
【００２０】
図６は、光ディスク１０の制御情報領域１１の１周分におけるＰＥＰ領域のデータ構成を示す模式図である。
図６（ａ）及び（ｂ）に示すように、制御情報領域１１の１周分が、４つのＰＥＰセグメントで構成され、各ＰＥＰセグメントは、さらに３つのＥＣＣブロックに分割されている。図６（ｃ）は、１つのＰＥＰセグメントの構成をさらに拡大して示したものである。
【００２１】
各ＥＣＣブロックは、データ部（Ｄａｔａ）及びエラー訂正コード（ＥＣＣ）で構成され、データ部にはサーボ方式を識別する識別情報が記録される。
データ部には、他にディスクの反射率、ＣＡＶ、ＣＬＶの区別、リードパワー、トラックの区別（ランド又はグルーブ）等に関する信号が含まれる。
各トラックにおいては同一のディスク半径方向に同一データのピットが配置されている。これはこの領域のデータを角速度一定で光ディスク１０を回転させて読み取るためである。
【００２２】
ＰＥＰ領域１２の形成はマスタディスク製造時に既に行われているので、マスタディスクを元にして製造される光ディスクは同一の内容のＰＥＰ領域１２を有する。
【００２３】
ＢＣＡ領域１３はマスタディスクを元にして製造された光ディスク各々にシリアル番号等のディスク個々の識別情報を付加するために用いられる。
ＢＣＡ領域１３は、既にＰＥＰ領域が形成された光ディスク１０における、最内周の制御情報領域１１への書き込みにより、複数のデータブロックとして形成される。
【００２４】
上記の最内周の制御情報領域１１への書き込みは、後述の条件式（２）によって得られた適切な書き込み領域の長さ分だけ行うことが可能である。
図７に示すように、ＢＣＡ領域１３では、情報はディスク半径方向に伸張したバーの組み合わせからなるバー１５の組み合わせからなるバーコードによって、ピット列とミラー部とからなる１ビットのデータ（ＤＡＴＡ０，ＤＡＴＡ１，・・・・）が記録される。
【００２５】
なお、ＰＥＰ領域及びＢＣＡ領域の記録方法並びに記録装置については、公知であるので、各領域の形成手順については説明を省略する。
【００２６】
次に、ＰＥＰ領域上にＢＣＡ領域を上書きする場合、ＰＥＰ領域を複数のＥＣＣブロックに分割することにより、記録できるＢＣＡ領域の大きさを最大限にするための条件について説明する。
【００２７】
光ディスク１０の制御情報領域１１に、１周に亘って記録されるＰＥＰ領域について、記録する位置の半径をｒ、ＰＥＰ領域のセグメント数をｍ（整数）、セグメント内のＥＣＣブロック数をｋ（整数）とする。
【００２８】
そして、ＰＥＰ領域上に上書きされるＢＣＡ領域について、ＢＣＡ領域の長さをｎ（実数）、即ち１周の１／ｎにＢＣＡ領域が記録されるとすると、１周のうち、ＢＣＡ領域が記録される部分の長さは２πｒ／ｎであるので、読み取り可能なＰＥＰ領域の長さは、２πｒ−２πｒ／ｎとなる。
【００２９】
１周の中にはｍ個のＰＥＰセグメントがあり、各セグメントの中にはｋ個のＥＣＣブロックがあるので、ＥＣＣブロック１個の長さは２πｒ／（ｍ×ｋ）となる。従って、読み取り可能なＰＥＰ領域に入るＥＣＣブロックの数は、
（２πｒ−２πｒ／ｎ）／（２πｒ／（ｍ×ｋ））個となる。
【００３０】
セグメント間にまたがっても、連続するｋ個のＥＣＣブロックを読み取ることができれば、１セグメント分のデータとなり、ＰＥＰ領域の読み取りにおいてエラーが生じることはない。
安全を見込んでこのブロック数がｋ＋１以上であれば１セグメント分のデータが読み取り可能であるとすると、以下のような式（１）の関係が成立する。
【００３１】
【数１】
2004103078.tif 000003
【００３２】
これより、次の条件式（２）の関係が導かれる。
【００３３】
【数２】
2004103078.tif 000004
【００３４】
即ち、上式を満たすようにｍ、ｎ、ｋを決定すれば、少なくとも１セグメント分のＥＣＣブロックを読み取ることが可能となる。
【００３５】
ここで、ＰＥＰセグメントを複数のＥＣＣブロックに分割することにより、ＢＣＡ領域がどの程度拡大できるかについて、上記の条件式（２）を用いて従来との比較を行う。
【００３６】
図３における説明で前述したように、従来の情報記録媒体では、ＰＥＰ領域が４セグメントである場合、ＢＣＡ領域は１周の１／２以下にしなければならなかった。
【００３７】
ところが、同じ４セグメントでも、本発明の実施の形態に係る情報記録媒体では、例えばセグメントを３つのＥＣＣブロックに分割する場合、条件式（２）において、ｍ＝４、ｋ＝３を代入すれば、ｎ≧１．５が得られる。即ち、ＢＣＡ領域を最大１周の２／３まで長くすることができる。
【００３８】
図８は、制御情報領域１１のＰＥＰ領域とＢＣＡ領域の関係（ＰＥＰ領域を４セグメントにした場合）を示す模式図である。
制御情報領域１１は、図８（ａ）及び図８（ｂ）に示すように、ＡからＤまでの４つのＰＥＰセグメントのそれぞれが３つのＥＣＣブロックに分割されている。このため、図８（ｃ）に示すようにＢＣＡ領域を１周の半分以上記録しても、ＰＥＰセグメントＣの「ＥＣＣブロック２」と「ＥＣＣブロック３」、ＰＥＰセグメントＤの「ＥＣＣブロック１」が読み取り可能であるため、ブロックをまたがる形ではあるが「ＥＣＣブロック１」から「ＥＣＣブロック３」まですべてのブロックが読み取れる。
【００３９】
図９は、本発明の実施の形態に係る情報記録媒体におけるＰＥＰ領域とＢＣＡ領域のデータ構成を示す模式図である。
図９（ａ）のように形成した４つのＰＥＰセグメント上に、例えば図９（ｂ）の２ようにＢＣＡ領域を半周分以上に渡って上書き形成しても、セグメントにまたがる形ではあるが、「ＥＣＣブロック１」から「ＥＣＣブロック３」までを読み取ることが可能である。このように、４つのＰＥＰセグメントの場合、条件式（２）で導出したように最大で１周の２／３までＢＣＡ領域を形成することが可能となる。
【００４０】
一方、従来の情報記録媒体では、各ＰＥＰセグメントにＥＣＣブロックが１つしかないため、図９（ｃ）に示すようにすべてのＰＥＰセグメントにＢＣＡ領域が懸かってしまうと、読み取り不能となってＰＥＰ領域に形成したデータが再生できない事態が生じる。
【００４１】
次に、ＢＣＡ領域を１周分の１／２（半分）と固定した場合の、ＰＥＰ領域の多重化数について、従来との比較を行う。図３の説明で前述した通り、ＢＣＡ領域を１／２に固定する場合、従来の情報記録媒体ではＰＥＰセグメントを４（多重化数＝４）以上にする必要がある。多重化数＝３では、すべてのＰＥＰ領域にＢＣＡ領域が懸かってしまうからである。
【００４２】
しかし、本実施の形態に係る情報記録媒体では、例えばＰＥＰセグメントを３つのＥＣＣブロックに分割する場合、前述の条件式（２）において、ｋ＝３、ｎ＝２を代入すれば、ｍ≧８／３が得られる。即ち、多重化数が８／３以上であればよいので、４重書きから３重書きへ多重化数を減少することができる。多重化数が減少するということは、ＰＥＰセグメントの長さを長くできるということであり、従ってＰＥＰ領域に記録する制御情報量を増やすことができる。
【００４３】
図１０は、制御情報領域１１のＰＥＰ領域とＢＣＡ領域の関係（ＢＣＡ領域を制御情報領域１周分の１／２に固定した場合）を示す模式図である。
図１０（ａ）のようにＢＣＡ領域を１周の１／２に固定する場合、１セグメントが３つのＥＣＣブロックに分割されていれば、３重書きのＰＥＰ領域においても図１０（ｂ）に示すように必ずすべてのＥＣＣブロック（「ＥＣＣブロック１」から「ＥＣＣブロック３」まで）を読み取ることが可能である。
【００４４】
したがって、４重書き（１周の１／４）から３重書き（１周の１／３）に変更する分（１周の１／１２）だけＰＥＰ領域の制御情報量を増加することが可能である。
【００４５】
なお、上記の実施の形態においては、光ディスク１０の最内周の制御情報領域１１に記録するＰＥＰ領域１２を４セグメントとしたが、セグメント数はこれに限定されるものではない。
【００４６】
また、前述の条件式（２）を満たすものであれば、ＰＥＰ領域のセグメント数やＢＣＡ領域の長さなどは、どちらを優先してどのように決定してもそれぞれの領域に最大限の制御情報を記録することが可能である。
【００４７】
さらに、上記の実施の形態においては、ＰＥＰブロックとＢＣＡブロックとを形成する同一半径上の制御情報領域１１として、光ディスク１０の最内周部を選択したがこれに限らず、例えば光ディスクの最外周等に設けられた制御情報領域であっても良い。
【００４８】
以上のように、ＰＥＰ領域にＢＣＡ領域を上書きして制御情報を記録する場合において、１つのＰＥＰセグメントを複数のＥＣＣブロックに分割して記録することにより、読み取り不可能となるＰＥＰ領域を少なくして、ＢＣＡ領域を大きく確保することができ、ＢＣＡ領域により多くの制御情報を記録することができる。
【００４９】
また、本実施の形態に係る情報記録媒体によれば、同様にＰＥＰ領域にＢＣＡ領域を上書きして制御情報を記録する場合において、１つのＰＥＰセグメントを複数のＥＣＣブロックに分割して記録することにより、記録するＢＣＡ領域の制御情報量が同じであれば、ＰＥＰセグメントの多重化数を少なくすることができ、ＰＥＰ領域により多くの制御情報を記録することができる。
【図面の簡単な説明】
【図１】従来の情報記録媒体（光ディスク）を示した模式図である。
【図２】従来の情報記録媒体（光ディスク）における制御情報領域の１周分に４つのＰＥＰセグメントを形成した場合についてのデータ構成を示した模式図である。
【図３】従来の情報記録媒体（光ディスク）における制御情報領域に形成したＰＥＰ領域とＢＣＡ領域の関係を示す模式図である。
【図４】本発明の実施の形態に係る情報記録媒体（光ディスク）を示す模式図である。
【図５】ＰＥＰ領域のピットパターンを示す模式図である。
【図６】本発明の実施の形態に係る情報記録媒体（光ディスク）における制御情報領域の１周分におけるＰＥＰ領域のデータ構成を示す模式図である。
【図７】ＢＣＡ領域のバーコードパターンを示す模式図である。
【図８】本発明の実施の形態に係る情報記録媒体（光ディスク）における制御情報領域のＰＥＰ領域とＢＣＡ領域の関係を示す模式図である（ＰＥＰ領域を４セグメントにした場合）。
【図９】本発明の実施の形態に係る情報記録媒体（光ディスク）におけるＰＥＰ領域とＢＣＡ領域のデータ構成を示す模式図である。
【図１０】本発明の実施の形態に係る情報記録媒体（光ディスク）における制御情報領域のＰＥＰ領域とＢＣＡ領域の関係を示す模式図である（ＢＣＡ領域を制御情報領域１周分の１／２に固定した場合）。
【符号の説明】
１０　光ディスク
１１　制御情報領域
１２　ＰＥＰ領域
１３　ＢＣＡ領域
【図１】
2004103078.tif 000005
【図２】
2004103078.tif 000006
【図３】
2004103078.tif 000007
【図４】
2004103078.tif 000008
【図５】
2004103078.tif 000009
【図６】
2004103078.tif 000010
【図７】
2004103078.tif 000011
【図８】
2004103078.tif 000012
【図９】
2004103078.tif 000013
【図１０】
2004103078.tif 000014